(57)【特許請求の範囲】
【請求項１】
突起部材が設けられたブラシ面を有する基台と、該基台が装着される開口部を備えた筐体とを備え、前記筐体内に空洞が形成された頭皮洗浄用ブラシにおいて、
前記筐体は、平面視円弧状の輪郭を形成しかつ前記ブラシ面を斜め上方に向けて置いた際に下方に位置する湾曲部を備え、
前記湾曲部には、前記空洞内の水を排出する排出口が形成されていることを特徴とする頭皮洗浄用ブラシ。
【請求項２】
前記筐体は、前記ブラシ面を斜め上方に向けて置かれた姿勢を保つ姿勢維持部を備えていることを特徴とする請求項１に記載の頭皮洗浄用ブラシ。
【請求項３】
前記筐体には、前記ブラシ面から離れる方向に突出する把持部が設けられ、
前記筐体は平面視略楕円形とされ、かつ、前記把持部から前記開口部に向かうに従い拡径し、
前記排出口は、前記筐体における平面視短軸方向の両側に形成されていることを特徴とする請求項１又は２に記載の頭皮洗浄用ブラシ。
【請求項４】
前記筐体の内側には、平面視で前記開口部の周縁から前記筐体の中央に向かって張り出した段差部が設けられ、
前記段差部には、前記筐体の内側から前記排出口に向かう切欠が形成されていることを特徴とする請求項１〜３の何れか一項に記載の頭皮洗浄用ブラシ。
【発明の詳細な説明】
【技術分野】
【０００１】
本発明は、頭皮洗浄用ブラシに関する。
【背景技術】
【０００２】
頭皮を洗浄する際に使用するブラシとして、種々のものが知られている。
例えば、特許文献１には、開口部を有する筐体と、筐体の開口部に装着された基台とを備え、基台の植毛面に複数の毛束が設けられた頭皮洗浄用ブラシが提案されている。この頭皮洗浄用ブラシにおいては、用毛の先端を先細り状とするとともに、基台において毛束を密に植毛する部分と、毛束を植毛しない部分とを設けること等により、頭皮のマッサージ効果と毛穴内部の洗浄効果との両方が得られる。
特許文献１の頭皮洗浄用ブラシにおける筐体の内部は中空状であるため、特許文献１の頭皮洗浄用ブラシを洗髪に用いると、筐体内に水やシャンプーが浸入する。筐体内に水等が溜まったままであったり、筐体内が湿潤した状態であると、カビが生えて、頭皮洗浄用ブラシを衛生的に保ちにくい。即ち、衛生面の配慮から、使用後の頭皮洗浄用ブラシを速やかに乾燥する必要がある。
このため、特許文献１の頭皮洗浄用ブラシの基台には、浸入した水等を排出するための排出口が形成されている。但し、使用後の頭皮洗浄用ブラシは、植毛面を鉛直方向下方に向け静置されることで、筐体内の水が、基台に形成された排出口から短時間では十分に排出されない。
【０００３】
また、特許文献２の洗髪用ブラシ（頭皮洗浄用ブラシ）のブラシ台において頭皮マッサージ用突起が設けられた面には排出口（水抜き孔）が形成されており、ブラシ内の水が該水抜き孔から排出される。同様に、特許文献３の頭皮用ブラシ（頭皮洗浄用ブラシ）のブラシ面の略中央部及び／又は周縁部には、排出口が形成されている。水あるいは洗浄剤等が中空状の頭皮用ブラシの内部に侵入した際には、排出口からの水抜き処理を行うことが可能とされている。
【先行技術文献】
【特許文献】
【０００４】
【特許文献１】国際公開第２００８／１４３１３１号
【特許文献２】実開昭５８−１８８７０３号公報
【特許文献３】特開２００９−２０１５７０号公報
【発明の概要】
【発明が解決しようとする課題】
【０００５】
しかしながら、従来の頭皮洗浄用ブラシでは排水完了までに時間がかかるため、頭皮洗浄用ブラシ内に雑菌・カビが繁殖し、頭皮洗浄用ブラシを衛生的に保ちにくいという問題が残っていた。そこで、頭皮洗浄用ブラシには、より速やかに乾燥することが求められる。
加えて、特許文献１の頭皮洗浄用ブラシは、植毛面が下方に向けられて（即ち、毛束が静置面に当接した状態で）乾燥されるため、この姿勢が毛束や突起の変形或いは劣化等の原因となる。
そこで、本発明では、使用後において、より速やかに排水され且つ乾燥され、かつ毛束の変形や劣化が生じにくい頭皮洗浄用ブラシを提供することを課題とする。
【課題を解決するための手段】
【０００６】
本発明の頭皮洗浄用ブラシは、突起部材が設けられたブラシ面を有する基台と、該基台が装着される開口部を備えた筐体とを備え、前記筐体内に空洞が形成された頭皮洗浄用ブラシにおいて、前記筐体は、平面視円弧状の輪郭を形成しかつ前記ブラシ面を斜め上方に向けて置いた際に下方に位置する湾曲部を備え、前記湾曲部には、前記空洞内の水を排出する排出口が形成されていることを特徴とする。
【０００７】
上記の構成によれば、ブラシ面を斜め上方に向けて置いた際に、基台に侵入した水や洗浄剤等（以後、単に水と記載する）が、基台と筐体との間の隙間等から、空洞内に流入する。流入した水は、斜め上方に傾いて立てられた筐体の空洞側の面或いは基台のブラシ面とは反対側の面を伝って、鉛直方向下方に速やかに流れ、その途中又は静置面近傍で排出口から排出される。また、突起部材の先端が上方に向き、静置面等に接触することがなく、突起部材の姿勢が使用前の状態で保持される。
また、上記の構成によれば、ブラシ面を斜め上方に向けて置いた際に、空洞内に流入した水が円弧状の湾曲部の空洞側の面を伝って、鉛直方向下方に効率よく集められ、排出口から速やかに排出される。
【０００８】
また、本発明の頭皮洗浄用ブラシでは、前記筐体が前記ブラシ面を斜め上方に向けて置かれた姿勢を保つ姿勢維持部を備えていることが好ましい。
【０００９】
上記の構成によれば、姿勢維持部でブラシ面を斜め上方に向けた状態で保持されて頭皮洗浄用ブラシの立ち姿勢が保たれる。
【００１２】
また、本発明の頭皮洗浄用ブラシでは、前記筐体に前記ブラシ面から離れる方向に突出する把持部が設けられ、前記筐体が平面視略楕円形とされ、かつ、前記把持部から前記開口部に向かうに従い拡径し、前記排出口が前記筐体における平面視短軸方向の両側に形成されていることが好ましい。
【００１３】
上記の構成によれば、ブラシ面を斜め上方に向けて置いた際に、筐体において曲率が最も小さい平面視短軸方向の両側と把持部によって頭皮洗浄用ブラシの立ち姿勢が安定して維持される。また、筐体内に流入した水が下方に位置する短軸方向の片側に効率よく集められ、排出口から速やかに排出される。
【００１４】
また、本発明の頭皮洗浄用ブラシでは、前記筐体の内側には、平面視で前記開口部の周縁から前記筐体の中央に向かって張り出した段差部が設けられ、前記段差部には、前記筐体の内側から前記排出口に向かう切欠が形成されていることが好ましい。
【００１５】
上記の構成によれば、筐体の開口部に基台が装着された際に、基台が段差部に当たって位置決めされる。また、切欠が設けられていることで、頭皮洗浄用ブラシの使用時に基台にかかる負荷が軽減される。さらに、筐体内に流入した水が切欠に沿って排出口に効率よく集められ、排出口から速やかに排水される。
【発明の効果】
【００１６】
本発明によれば、使用後において、より速やかに排水され且つ乾燥され、かつ毛束の変形や劣化が生じにくい頭皮洗浄用ブラシが提供される。
【図面の簡単な説明】
【００１７】
【図１】本発明の一実施形態にかかる頭皮洗浄用ブラシの側面図である。
【図２】本発明の一実施形態にかかる頭皮洗浄用ブラシの底面図である。
【図３】本発明の一実施形態にかかる頭皮洗浄用ブラシの平面図である。
【図４】本発明の一実施形態にかかる頭皮洗浄用ブラシの構成を説明するための側面図である。
【図５】本発明の一実施形態にかかる頭皮洗浄用ブラシの一部の斜視図である。
【図６】本発明の一実施形態にかかる頭皮洗浄用ブラシが静置された状態を示す正面図である。
【図７】本発明の他の実施形態にかかる頭皮洗浄用ブラシの筐体の側面図である。
【発明を実施するための形態】
【００１８】
本発明の一実施形態にかかる頭皮洗浄用ブラシについて、以下に図１〜図６を参照して説明する。
図１は本実施形態の頭皮洗浄用ブラシ１を示す側面図である。図２は、図１の頭皮洗浄用ブラシ１を示す底面図、図３は、図１の頭皮洗浄用ブラシ１を示す平面図である。図４は、図１の頭皮洗浄用ブラシ１の構成を説明するための側面図である。図５は、頭皮洗浄用ブラシ１の筐体４の斜視図である。図６は、頭皮洗浄用ブラシ１が静置された状態を示す図であって、図１に示すＸ方向からみた正面図である。
【００１９】
図１〜図３に示すように、頭皮洗浄用ブラシ１は、突起部材５０が設けられたブラシ面２１を有する基台２と、基台２を装着するための開口部４１を備えた筐体４とを有する。筐体４には、把持部４２が設けられている。
【００２０】
基台２は、平面視略楕円形の平板状に形成されている部材である。図４に示すように、基台２は、底部にブラシ面２１を有すると共に側壁を備えた本体２Ａと、本体２Ａに取り付け可能な蓋体２Ｂとを備えている。本体２Ａに蓋体２Ｂが取り付けられた状態の基台２内は、空洞とされている。本体２Ａは、例えばポリプロピレン等の一般的な硬質樹脂材料等から形成されている。蓋体２Ｂは、本体２Ａと同様の材料等から形成されている。
【００２１】
図２に示すように、ブラシ面２１には、複数（図示例では４束を１本として１６本）の毛束３と、複数（図示例では１６本）の弾性体５が設けられている。本実施形態において、突起部材５０は毛束３と弾性体５をさす。
ここで、平面視楕円形のブラシ面２１の長軸方向Ｄ１に並ぶ単位を行、短軸方向Ｄ２に並ぶ単位を列とする。突起部材５０は、６行６列の配列をなしてブラシ面２１に設けられている。但し、前記配列の四隅に該当する部分には、突起部材５０は設けられていない。図示例では、ブラシ面２１の短軸方向Ｄ２の両側の行の突起部材５０には、弾性体５が用いられている。また、前記配列の２行目および５行目の１，６列目の突起部材５０には、弾性体５が用いられている。さらに、前記配列の中央部の突起部材５０には、弾性体５が用いられている。ブラシ面２１の長軸方向Ｄ１の両側の３，４行目の突起部材５０と前述の中央部の弾性体５の外周の突起部材５０には、毛束３が用いられている。
ブラシ面２１の前記配列の中央部、即ち３，４行目の３，４列目に配設された突起部材５０の高さは、それらの外周側の突起部材５０よりも、ブラシ面２１からの高さが低く形成されている。
なお、突起部材５０の配設数、配列パターン、長さや太さ、構成する毛束３と弾性体５の割合等は図示例に限定されない。
【００２２】
毛束３は、それぞれ、用毛３１が複数束ねられて構成されている。
毛穴の洗浄の良好性を考慮すると、先端に向けて漸次細くなる先細り状とされた用毛３１としてテーパー毛を用いてもよい。該テーパー毛の材質としては、例えばポリブチレンテレフタレート（ＰＢＴ）、ポリエチレンテレフタレート（ＰＥＴ）、ポリトリメチレンテレフタレート（ＰＴＴ）、ナイロン、ポリエステル等の一般的な樹脂材料を用いることができる。また、例えば美観向上等を目的として、合成樹脂主体の素材に他成分を混合した材料や、耐久性の向上を目的として抗菌剤等を添加した材料を用いてもよい。
【００２３】
弾性体５は、先端に向けて漸次細くなる先細り状に形成されている。
弾性体５の材料としては、例えば、ポリエチレン、ポリプロピレン等のポリオレフィン系樹脂、ナイロン、ポリアセタール等の合成樹脂、ポリエチレン、ポリプロピレン、スチレン、シリコーン及びウレタンゴム等の各種エラストマー等の弾性材料が挙げられ、頭皮に対して効率良くマッサージ効果を付与できる点から、前記材料の中でもエラストマーを用いることがより好ましい。
【００２４】
図２に示すように、基台２の本体２Ａの長軸方向Ｄ１の両側には、切欠部１４が形成されている。基台２に浸入した水は、切欠部１４から排水される。
【００２５】
筐体４は、開口部４１を有するとともに内部に空洞４ａが形成された中空状の部材である。筐体４は、例えばポリスチレン系樹脂等の樹脂から形成されている。
【００２６】
筐体４は、図２及び図３に示すように平面視楕円形であり、図１及び図４に示すように天端４ｆから開口部４１に向かうに従い拡径し、次いで開口部４１に向かうに従い縮径するように形成されている。筐体４は滑らかな曲線でつながれたドーム状の形状をなしている。
【００２７】
図２及び図３に示すように、筐体４は、短軸方向Ｄ２の両側が平面視円弧状の輪郭を形成する湾曲部４ｃとされている。湾曲部４ｃは、ブラシ面２１を斜め上方に向けて頭皮洗浄用ブラシ１を置いた際に下方に位置する。
【００２８】
図２及び図３に示すように、筐体４における前記楕円形の長軸と短軸の比率は特に制限されないが、例えば長軸は短軸の１.０倍以上５．０倍以下であることが好ましい。長軸が短軸の１．０倍未満であると、筐体４の平面視形状が真円よりも曲率が大きくなり、頭皮洗浄用ブラシ１が置かれた際に、姿勢が不安定になる。また、長軸が短軸の５．０倍を超えると、筐体４の曲率が小さくなり、頭皮洗浄用ブラシ１が置かれた際に、空洞４ａ内に侵入した水が後述する排出口１３から排出されにくくなる。
【００２９】
筐体４の短軸方向Ｄ２の両側には、空洞４ａ内の水を排出するための排出口１３が形成されている。本実施形態において、排出口１３は、筐体４において最も拡径して張り出した部分（即ち、基台２の外方に張り出した部分）の湾曲部４ｃに形成されている。
排出口１３は、筐体４の短軸方向Ｄ２の両側に形成された排出口１３ｃと、排出口１３ｃをはさんで平面視円弧上の両側に一個ずつ形成された排出口１３ｔで構成されている。
【００３０】
排出口１３の数は特に制限されないが、例えば１個以上７個以下であることが好ましい。排出口１３の数を上記範囲とすることにより、筐体４内の水がより速やかに排水されると共に落下時の強度を保ち、割れを防ぐことができる。
図１に示すように、排出口１３の開口形状は、開口面（開口部４１の表面）に対して軸線Ｊが傾斜した略楕円である。排出口１３の大きさは特に制限されないが、開口の内接円の直径が０．５ｍｍ以上２０ｍｍ以下であることが好ましく、１．０ｍｍ以上５．０ｍｍ以下であることがより好ましい。開口の内接円の直径が０．５ｍｍ以上であれば、空洞４ａ内の水がより速やかに排水され、１．０ｍｍ以上であれば空洞４ａ内の水の排水速度がさらに高まる。また、開口の内接円の直径が２０ｍｍを超えると、筐体４の強度が低下するおそれがある。
【００３１】
筐体４の天端４ｆには、ブラシ面２１から離れる方向に突出した把持部４２が設けられている。把持部４２は、使用者が頭皮洗浄用ブラシ１を片手で操作しやすいように、挟み部４２ａと、係止部４２ｂとから構成されている。挟み部４２ａは、平面視において、長軸方向Ｄ１を長手とする部材である。係止部４２ｂは、平面視楕円形の平板状の部材であり、挟み部４２ａの突端に設けられ、人差し指と中指で係止可能とされている。把持部４２の天端４ｆからの突出高さおよび把持部４２の形状は、操作しやすいように使用者の指の大きさ等を考慮して設定されることが好ましい。
【００３２】
図４に示すように、筐体４の開口部４１には、基台２が図中矢印方向に嵌め込まれて装着されている。このように基台２が装着された際には、基台２に形成された孔部１７と排出口１３が側面視で重なっている。また、孔部１７により基台２内の空洞と筐体４の外部が孔部１７と排出口１３によって連通した状態とされている。
【００３３】
図５に示すように、筐体４の内側には、平面視で開口部４１周縁から筐体４の中央に向かって張り出した段差部４３が設けられている。段差部４３には、筐体４の内側から排出口１３に向かう切欠４４が形成されている。切欠４４は、排出口１３に向かうに従って幅が狭くなっている。この構成では、筐体４の開口部４１に基台２が嵌め込まれて装着された際に（図４参照）、基台２が段差部４３に当たって位置決めされる。また、切欠４４が設けられていることで、頭皮洗浄用ブラシ１の使用時に基台２（特に本体２Ａ）にかかる負荷が軽減される。さらに、空洞４ａに浸入した水が切欠４４に沿って排出口１３に効率よく集められ、排出口１３から速やかに排水される。
また、筐体４において最も拡径して張り出した部分の内側の排出口１３が形成されている位置（即ち、湾曲部４ｃ）には、円弧方向に延びる凹条４５が形成されている。この構成では、前述のように筐体４の開口部４１に基台２が嵌め込まれて装着された際に、孔部１７と排出口１３との間に凹条４５が介在する。
従って、孔部１７及び排出口１３が通気され、水や埃等による孔部１７及び排出口１３の閉塞が生じにくい。
【００３４】
次に、頭皮洗浄用ブラシ１の使用方法について説明する。
使用者は、人差し指と中指との間で把持部４２を挟み、頭皮上で、基台２のブラシ面２１における短軸方向Ｄ２に往復移動させ、頭皮を洗浄する。このような頭皮洗浄用ブラシ１の使用時には、水が切欠部１４あるいはその他の基台２と筐体４との隙間から基台２内に侵入し、筐体４の空洞４ａ内に流入する。
【００３５】
使用者は、頭皮の洗浄後、頭皮洗浄用ブラシ１を水で洗い、図６に示すようにブラシ面２１を斜め上方に向けて静置面Ｐに置く。そうすると、筐体４の湾曲部４ｃと把持部４２の係止部４２ｂの周縁部が各々接点５５Ｐ１，５５Ｐ２で静置面Ｐに接地する。即ち、湾曲部４ｃと把持部４２との二点支持により、ブラシ面２１が静置面Ｐの略鉛直な方向Ｄ５に立ち上がり、突起部材５０が静置面Ｐから離間した状態で頭皮洗浄用ブラシ１が保持される。本実施形態において、湾曲部４ｃと把持部４２は、頭皮洗浄用ブラシ１を立ち姿勢で保持可能とする姿勢維持部である。頭皮洗浄用ブラシ１の立ち上がり角度は、筐体４の天端４ｆから把持部４２の係止部４２ｂまでの距離、係止部４２ｂの平面視略楕円形の長軸と短軸の比率等によって調整される。
【００３６】
上述のように、ブラシ面２１を斜め上方に向けて頭皮洗浄用ブラシ１を置くと、図６に示すように、ブラシ面２１が静置面Ｐに略鉛直な方向Ｄ５に立ち上がり、突起部材５０が静置面Ｐから離間した状態で頭皮洗浄用ブラシ１が保持される。筐体４の短軸方向Ｄ２と静置面Ｐに略鉛直な方向Ｄ５とのなす角度θは、例えば１５°以上７５°以下であることが好ましい。角度θが１５°未満であると、頭皮洗浄用ブラシ１が突起部材５０側に倒れやすくなり、突起部材５０の先端が静置面Ｐに接触すると共に、突起部材５０の変形や劣化を招く。また、筐体４の湾曲部４ｃと静置面Ｐとの接点５５Ｐ１が排出口１３に近づいて、排出口１３が閉塞するおそれがある。一方、角度θが７５°を超えると、筐体４の湾曲部４ｃと静置面Ｐとの接点５５Ｐ１が把持部４２に近づいて、排出口１３が静置面Ｐから離れると共に、静置面Ｐに略平行な方向又は略鉛直な方向Ｄ５に開口するので、筐体４内の水が排出されにくくなる。筐体４において最も拡径して張り出した部分の曲率、把持部４２の形状や長さ等は、角度θを考慮して設定されていることが好ましい。
【００３７】
本実施形態の頭皮洗浄用ブラシ１では、使用後にブラシ面２１を斜め上方に向けて置いた際に、空洞４ａ内に流入した水が筐体４の内面４ｐ或いは基台２のブラシ面２１とは反対側の面２ｑを伝って鉛直方向下方に集められ、その途中で排出口１３ｔから排出される。最終的には、静置面Ｐに近接している排出口１３ｃに集められ、排出口１３ｃから排出される。このように、流体が上流側から下流側に流れるという自然法則に基づき、筐体４内の水が排出口１３から速やかに排出される。従って、空洞４ａ内が速やかに乾燥される。また、ブラシ面２１を斜め上方に向けて置いた際に、突起部材５０が静置面Ｐから離間するため、筐体４と静置面Ｐとの間に介在して筐体４からの荷重を受けることがなく、変形や劣化が生じにくい。
【００３８】
また、本実施形態の頭皮洗浄用ブラシ１では、筐体４が平面視円弧状の輪郭を形成しかつブラシ面２１を斜め上方に向けて置いた際に下方に位置する湾曲部４ｃを備え、排出口１３が湾曲部４ｃに形成されている。これにより、空洞４ａに流入した水が円弧状の湾曲部４ｃの空洞側の面を伝って、鉛直方向下方に効率よく集められ、排出口１３からより速やかに排出される。
【００３９】
また、本実施形態の頭皮洗浄用ブラシ１では、筐体４にブラシ面２１から離れる方向に突設された把持部４２を備え、筐体４が平面視略楕円形かつ把持部４２から開口部４１に向かうに従い拡径し、排出口１３が筐体４における平面視短軸方向Ｄ２の両側に形成されている。これにより、ブラシ面２１を斜め上方に向けて置いた際に、筐体４において平面視で最大径かつ曲率が最も小さい短軸方向Ｄ２の一方の端部と把持部４２の係止部４２ｂによって頭皮洗浄用ブラシ１が支持され、頭皮洗浄用ブラシ１の立ち姿勢が安定して維持される。また、上述のように筐体４における短軸方向Ｄ２の両側が湾曲部４ｃとなっているため、空洞４ａに流入した水が下方に位置する短軸方向Ｄ２の片側に効率よく集められ、排出口１３から速やかに排出される。
【００４０】
使用者は、上述のようにブラシ面２１を斜め上方に向けて頭皮洗浄用ブラシ１を置くことで、空洞４ａ内に流入した水を排出口１３から排出させ、頭皮洗浄用ブラシ１を衛生的かつ長期的に使用できる。
また、上記のように排水性が高まることで、頭皮洗浄用ブラシ１が良好に乾燥され、頭皮洗浄用ブラシ１における雑菌・カビの繁殖が抑えられ、かつ臭い等の発生が防止される。
【００４１】
また、本実施形態の頭皮洗浄用ブラシ１では、筐体４の内側に、平面視で開口部４１周縁から筐体４の中央に向かって張り出した段差部４３が設けられている。従って、空洞４ａに浸入した水が切欠４４に沿って排出口１３に効率よく集められ、排出口１３から速やかに排水される。
さらに、筐体４において最も拡径して張り出した部分の内側の排出口１３が形成されている位置には、円弧方向に延びる凹条４５が形成されている。従って、孔部１７及び排出口１３が通気され、水や埃等による孔部１７及び排出口１３の閉塞が生じにくい。
【００４２】
以上、本発明の一実施形態の頭皮洗浄用ブラシ１について説明したが、本発明の頭皮洗浄用ブラシは上記例示した実施形態に限定されない。
例えば、排出口１３の数および開口形状は図示した数および形状に特に限定されない。
具体的には、排出口１３の開口形状は、図７（ａ）に示すように真円であってもよい。また、排出口１３の開口形状は、図７（ｂ）に示すように軸線Ｊ´が開口面に対して直角をなす楕円であってもよい。
さらに、排出口１３の開口形状は、図７（ｃ）に示すように軸線Ｊ´が開口面に対して傾斜した平行四辺形であってもよく、その他の形状であってもよい。
【００４３】
また、基台２の形状は、平面視略楕円形に限定されず、真円形、多角形等でもよい。
また、把持部４２の形状も図示例に限定されないし、把持部４２が挟み部４２ａのみで構成されていてもよく、筐体４は把持部４２自体を有していなくてもよい。
さらに、姿勢維持部の形態も図示例に限定されず、開口部４１付近の筐体４に側壁部が設けられ、該側壁部のみが静置面Ｐに当接することで、頭皮洗浄用ブラシ１の立ち姿勢が保持されてもよい。
さらにまた、突起部材５０を構成する弾性体５の形状は、基部から先端部にかけて縮径する錐体形状が好適であるが、例えば、円柱、角柱等の柱状でもよい。その場合には、先端部が曲面状に面取りされた形状であることが好ましい。
【実施例】
【００４４】
以下、実施例を示して本発明を詳細に説明するが、本発明は以下の記載によって限定されるものではない。
【００４５】
［実施例］
以下の手順で、突起部材を製造し、該突起部材が取付けられた基台を筐体に取り付け、図１に示す形態、図２に示す突起部材の配置パターンの頭皮洗浄用ブラシ１を作製した。
【００４６】
（基台の作製）
７９．０ｍｍ（長軸）×６４．３ｍｍ（短軸）の平面視略楕円形状とされ、厚さが４．５ｍｍの基台２を用意し、ブラシ面２１に突起部材５０を取り付ける穴（以降では、取付穴とする）を形成した。
【００４７】
（用毛の作製）
ポリブチレンテレフタレート（ＰＢＴ）からなる直径１９０μｍの用毛の原糸を等寸法にカットし、規定温度に加温した高濃度ＮａＯＨ溶液中に浸漬して薬品加工を施す従来公知の方法を用い、両端部を先細り状に加工し、用毛を得た。この用毛は、先端から０．１ｍｍの部位における直径は約２０μｍ、最も太い中央部の直径は約０．１９ｍｍであった。
【００４８】
（用毛の植毛）
得られた用毛を約１５本で一束として、基台２の所定の取付穴に中央部から折り返すようにして用毛を植毛することにより、所定の取付穴に毛束３が取り付けられた状態とした。この際、用毛（毛束）のブラシ面２１からの高さは、すべて１３ｍｍとした。
【００４９】
（弾性体の作製）
横断面が真円形である円錐状の弾性体５が表面に形成された図示略の弾性体基板を一体成形で作製した。材料には、スチレン系エラストマー（硬度：６０Ａ）を用いた。この際、弾性体５は、先端から０．１ｍｍの部位における直径を約０．３ｍｍ、弾性体の基部の直径を５．７ｍｍとし、先端部には曲面状に面取り処理を施した。また、ブラシ面２１の周縁部の弾性体５は、ブラシ面２１からの高さが１７ｍｍとなるようにし、ブラシ面２１の中央部の弾性体５は、ブラシ面２１からの高さが１３ｍｍとなるようにした。
【００５０】
（筐体の作製）
図１に示すような把持部４２を有し、ポリスチレン系樹脂からなる筐体４を成形した。また、平面視楕円形の筐体４の長軸は、短軸の約１．２倍とした。排出口１３の開口の内接円の直径は約２．７ｍｍとした。
さらに、ブラシ面２１を斜め上方に向けて頭皮洗浄用ブラシ１を置いた際に筐体４の短軸方向Ｄ２とブラシ面２１の方向Ｄ５とのなす角度θが約３５°となるように、筐体４において最も拡径して張り出した部分の曲率、把持部４２の形状等を決定した。
【００５１】
（頭皮洗浄用ブラシの作製）
ブラシ面２１上に複数の毛束３が植毛されるとともに、弾性体５を取り付ける取付穴が形成された基台２と弾性体基板とを、上記工程で成形した筐体４の開口部４１に嵌め込んで一体に取付け、実施例１の頭皮洗浄用ブラシ１を得た。この際、弾性体基板に基台２を重ね合わせ、基台２に形成された取付穴に各弾性体５が挿通され、ブラシ面２１から突出するように組み付けた。
【００５２】
（評価）
得られた実施例の頭皮洗浄用ブラシ１を用いて、「水抜き性能」、「突起部材のへたり」の２項目について、試験パネルが以下に説明する評価基準で視認評価を行った。結果を表１に示す。
【００５３】
（１）水抜き性能
試験パネルが１０個の頭皮洗浄用ブラシ１の各々でシャンプーを用いて頭皮洗浄操作を行った後、静置して１分経過後の各頭皮洗浄用ブラシ１の水切り性を下記の６段階で採点して、平均値を取った。この際、頭皮洗浄用ブラシ１は、図６に示す姿勢、即ち筐体４の湾曲部４ｃと把持部４２の係止部４２ｂが各々接点５５Ｐ１，５５Ｐ２で静置面Ｐに接地している状態で置いた。
６点・・・非常に良い（９９容量％以上１００容量％以下の水が排水された状態）
５点・・・良い、性能上問題ない（９７容量％以上９９容量％未満の水が排水された状態）
４点・・・やや良い（９５容量％以上９７容量％未満の水が排水された状態）
３点・・・やや悪い（９０容量％以上９５容量％未満の水が排水された状態）
２点・・・悪い（８０容量％以上９０容量％未満の水が排水された状態）
１点・・・非常に悪い（０容量％以上８０容量％未満の水が排水された状態）
なお、上記６点〜１点の排水量は、筐体４内に水が全くない状態を１００容量％、筐体４内が満水である状態を０容量％としたときの量を示す。
（２）突起部材のへたり
水抜き性能の評価時と同様に頭皮洗浄操作を行った後、静置して１分経過後の各頭皮洗浄用ブラシ１の突起部材５０のへたり具合を下記の６段階で採点して、平均値を取った。この際、頭皮洗浄用ブラシ１は、「水抜き性能」の評価時と同様に図６に示す姿勢で置いた。
６点・・・へたりが全くない
５点・・・へたりが殆どない
４点・・・へたりがごく僅かに有るが、性能上問題ない
３点・・・へたりがややある
２点・・・へたりがある
１点・・・非常にへたりがある
【００５４】
［比較例］
排出口１３を設けずに、実施例と同様の材質、手順により頭皮洗浄用ブラシを作製した。本比較例の頭皮洗浄用ブラシ内に浸入した水は、切欠部１４から排水される。
【００５５】
（評価）
得られた比較例の頭皮洗浄用ブラシを用い、実施例と同様にしてシャンプーを用いた頭皮洗浄操作を行った後、「水抜き性能」、「突起部材のへたり」について、視認評価を行った。結果を表１に示す。但し、比較例の頭皮洗浄用ブラシは植毛面を鉛直方向下方に向けた姿勢で置いた。
【００５６】
【表１】
0006461527.tif 000002
【００５７】
［評価結果］
表１に示すように、姿勢維持部を備え、排出口が湾曲部に形成された実施例の頭皮洗浄用ブラシによれば、「水抜き性能」、「突起部材のへたり」の両方に優れていた。
比較例では、排出口が基台のブラシ面上に形成されているため、筐体内に侵入した水が排出口に集まりにくく、水抜き性能が、不充分であった。また、比較例では、植毛面を鉛直方向下方に向けた姿勢で静置されたため、突起部材の先端が静置面に当接し、突起部材に筐体および基台の荷重がかかり、突起部材のへたりが実施例よりも極めて劣った。
【符号の説明】
【００５８】
１  頭皮洗浄用ブラシ
２  基台
４  筐体
４ａ  空洞
４ｃ  湾曲部
１３，１３ｃ，１３ｔ  排出口
２１  ブラシ面
４１  開口部
４２  把持部
５０  突起部材
Ｄ１  長軸方向
Ｄ２  短軸方向
【図１】
0006461527.tif 000003
【図２】
0006461527.tif 000004
【図３】
0006461527.tif 000005
【図４】
0006461527.tif 000006
【図５】
0006461527.tif 000007
【図６】
0006461527.tif 000008
【図７】
0006461527.tif 000009